(57)【要約】解剖学的構造をマッピングするための方法は、解剖学的構造内又はその周辺に配置された複数の電極において生理活動の活性化信号を感知し、各活性化信号は関連するサイクル長を有していることと、各サイクル長に対する活動電位持続時間及び拡張期間隔を推定することと、推定された活動電位持続時間、及び、前のサイクル長から推定された拡張期間隔に基づいて回復曲線を生成することと、推定された活動電位持続時間、及び、前のサイクル長から推定された拡張期間隔の間の機能的関連性を最大化するため、推定された活動電位持続時間の各々、及び、対応する拡張期間隔を反復的に最適化することと、最適化された活動電位持続時間及び拡張期間隔に基づいた活動電位持続時間の回復曲線を生成することとを含む。
2016508057.tif 000002
【特許請求の範囲】
【請求項１】
解剖学的構造内、又は、前記解剖学的構造の周辺に配置された複数の電極において生理活動の活性化信号を感知し、前記活性化信号の各々は関連するサイクル長を有していることと、
前記サイクル長の各々に対する活動電位持続時間及び拡張期間隔を推定することと、
推定された前記活動電位持続時間、及び、前サイクル長から推定された前記拡張期間隔に基づいて初期の回復曲線を生成することと、
推定された前記活動電位持続時間、及び、前記前サイクル長から推定された前記拡張期間隔の間の機能的関連性を最大化するため、推定された前記活動電位持続時間の各々、及び、対応する前記拡張期間隔を反復的に最適化することと、
最適化された前記活動電位持続時間及び前記拡張期間隔に基づいた最終的な活動電位持続時間回復曲線を生成することと
を含む前記解剖学的構造をマッピングするための方法。
【請求項２】
請求項１に記載の方法において、前記活動電位持続時間及び前記拡張期間隔を推定するステップは、対応する前記活動電位持続時間及び前記拡張期間隔を推定するために前記サイクル長の各々をランダムに分割することを含む方法。
【請求項３】
請求項２に記載の方法において、推定された前記活動電位持続時間の各々、及び、対応する前記拡張期間隔を反復的に最適化するステップは、
第一分解能で反復的に最適化することと、
前記第一分解能で最適化した後に第二分解能で反復的に最適化し、前記第二分解能は前記第一分解能よりも高いことと
をさらに含む方法。
【請求項４】
請求項２に記載の方法において、前記回復曲線を生成するステップは、
推定された前記活動電位持続時間、及び、前記前サイクル長から推定された前記拡張期間隔の各々を一組にする二次元データセットを生成することと、
初期の前記回復曲線を生成するために前記二次元データセットをプロットすることと
を含む方法。
【請求項５】
請求項１に記載の方法において、前記機能的関連性を最大化するステップは、
推定された前記活動電位持続時間、及び、前記前サイクル長から推定された前記拡張期間隔の間の相互情報量を最大化すること、
推定された前記活動電位持続時間、及び、前記前サイクル長から推定された前記拡張期間隔の最大情報係数値を最大化すること、
推定された前記活動電位持続時間、及び、前記前サイクル長から推定された前記拡張期間隔の間の間隔の相関尺度を最大化すること
の少なくとも一つを含む方法。
【請求項６】
請求項１に記載の方法において、生成された前記回復曲線と所定の回復テンプレートとの類似性を最大化することをさらに含む方法。
【請求項７】
請求項６に記載の方法において、前記類似性を最大化するステップは、
生成された前記回復曲線と所定の前記回復テンプレートとの相関係数を最大化すること、
生成された前記回復曲線と所定の前記回復テンプレートとの平均二乗誤差を最小化すること
の少なくとも一つを含む方法。
【請求項８】
請求項６に記載の方法において、所定の前記回復テンプレートは指数関数、シグモイド関数、及び、前に生成されて最適化された前記回復曲線の何れかに対応する方法。
【請求項９】
請求項１に記載の方法において、前記活動電位持続時間回復曲線は複数の前記電極の各々に対して生成される方法。
【請求項１０】
請求項１に記載の方法において、前記生理活動の前記活性化信号は複数の前記電極の少なくとも一つにより制定された所定のペーシングプロトコルに応じて感知される方法。
【請求項１１】
請求項１に記載の方法において、
生成された前記活動電位持続時間回復曲線に基づいて前記解剖学的構造の解剖学的マップを生成すること
をさらに含む方法。
【請求項１２】
解剖学的構造内、又は、前記解剖学的構造の周辺に配置された複数の電極において心臓活性化信号を感知し、前記心臓活性化信号の各々はサイクル長に関連することと、
前記サイクル長の各々を活動電位持続時間及び拡張期間隔に分割することと、
データ点の各々が前記活動電位持続時間、及び、直前の前記拡張期間隔を含むように回復データセットを生成することと、
前記データ点の二次元プロットを生成し、前記二次元プロットは個別のグリッド位置の事前に定義されたグリッドを有していることと、
前記回復データセット内の機能的関連性を決定することと、
前記データ点の各々が一つの前記グリッド位置から別の前記グリッド位置へとずれるように前記サイクル長の各々の分割を調整することと、
前記回復データセット内の前記機能的関連性を最大化するために調整及び決定のステップを反復することと、
最大化された前記機能的関連性に対応する前記回復データセットに基づいて活動電位持続時間回復曲線を生成することと
を含む前記解剖学的構造をマッピングするための方法。
【請求項１３】
請求項１２に記載の方法において、前記機能的関連性は、
推定された前記活動電位持続時間、及び、前サイクル長から推定された前記拡張期間隔の間の相互情報量を最大化すること、
推定された前記活動電位持続時間、及び、前記前サイクル長から推定された前記拡張期間隔の最大情報係数値を最大化すること、
推定された前記活動電位持続時間、及び、前記前サイクル長から推定された前記拡張期間隔の間の間隔の相関尺度を最大化すること
の少なくとも一つを含む方法。
【請求項１４】
請求項１２に記載の方法において、前記機能的関連性は生成された回復曲線と所定の回復テンプレートとの類似性を最大化することに基づく方法。
【請求項１５】
請求項１４に記載の方法において、前記類似性は、
生成された前記回復曲線と所定の前記回復テンプレートとの相関係数を最大化すること、
生成された前記回復曲線と所定の前記回復テンプレートとの平均二乗誤差を最小化すること
の少なくとも一つを含む方法。
【請求項１６】
請求項１４に記載の方法において、所定の前記回復テンプレートは指数関数、シグモイド関数、及び、前に生成されて最適化された前記回復曲線の何れかに対応する方法。
【請求項１７】
請求項１２に記載の方法において、前記機能的関連性が最大化された後、前記方法は、
所定の前記グリッドの分解能を高めることと、
前記機能的関連性が前記回復データセット全体にわたってさらに増加されるまで調整及び決定のステップを反復することと
をさらに含む方法。
【請求項１８】
請求項１２に記載の方法において、前記心臓活性化信号は複数の前記電極の少なくとも一つにより制定された所定のペーシングプロトコルに応じて感知される方法。
【請求項１９】
請求項１８に記載の方法において、所定の前記ペーシングプロトコルは統計的分布からサンプリングされたパルス間の間隔のランダムなペーシングパルスの少なくとも一つを含む方法。
【請求項２０】
請求項１２に記載の方法において、
前記活動電位持続時間回復曲線を生成することに基づいて心臓マップを生成すること
をさらに含む方法。
【請求項２１】
解剖学的構造内、又は、前記解剖学的構造の周辺に配置された複数の電極において生理活動の活性化信号を感知し、前記活性化信号の各々は関連するサイクル長を有していることと、
活動電位持続時間と前サイクル長との関数を生成することと、
生成された前記関数に基づいて前記サイクル長の各々を前記活動電位持続時間及び拡張期間隔に分割することと、
分割された前記活動電位持続時間、及び、前拡張期間隔に基づいて活動電位持続時間回復曲線を生成することと
を含む前記解剖学的構造をマッピングするための方法。
【請求項２２】
請求項２１に記載の方法において、前記関数を生成するステップは、
前記前サイクル長に基づいて前記活性化信号の各々の前記サイクル長のヒストグラムを生成することと、
生成された前記ヒストグラムに基づいて前記サイクル長の不応期を決定することと、
決定された前記不応期に基づいて前記活動電位持続時間を推定することと、
前記ヒストグラムを生成し、前記不応期を決定し、且つ、前記活動電位持続時間を推定するステップを複数の前記前サイクル長に対して反復することと
を含む方法。
【請求項２３】
請求項２２に記載の方法において、前記ヒストグラムを生成するステップは、
記録された前記サイクル長の範囲を決定することと、
決定された前記範囲を等間隔のビンに分割することと、
三つの連続した前記活性化信号による全ての三つ組を識別することと、
第一の前記サイクル長の前記ビンを共有する前記三つ組に対する第二及び第三の前記活性化信号のための前記サイクル長の前記ヒストグラムを生成することと
を含む方法。
【請求項２４】
請求項２３に記載の方法において、前記不応期は全ての前記サイクル長の前記ビンに対して決定される方法。
【請求項２５】
請求項２２に記載の方法において、前記不応期を決定するステップは、
生成された前記ヒストグラムのゼロから所定の閾値に少なくとも等しい数の第一のビンまでの間の領域を識別することと、
識別された前記領域に従って前記不応期を決定することと
を含む方法。
【請求項２６】
請求項２５に記載の方法において、推定された前記活動電位持続時間は前記不応期の期間である方法。
【請求項２７】
請求項２３に記載の方法において、前記不応期を決定するステップは、
生成された前記ヒストグラムに滑らかな関数を適合することと、
生成された前記ヒストグラムのゼロから滑らかな前記関数が所定の閾値を下回る点までの間の領域を前記不応期として識別することと
を含む方法。
【請求項２８】
請求項２７に記載の方法において、滑らかな前記関数は滑らかなシグモイド関数である方法。
【請求項２９】
請求項２１に記載の方法において、前記生理活動の前記活性化信号は複数の前記電極の少なくとも一つにより制定された所定のペーシングプロトコルに応じて感知される方法。
【請求項３０】
請求項２１に記載の方法において、
前記活動電位持続時間回復曲線を生成することに基づいて心臓マップを生成すること
をさらに含む方法。
【発明の詳細な説明】
【技術分野】
【０００１】
本願は心臓マッピングシステムに関する。より具体的には、本願は記録された活性化信号に基づいて回復曲線を推定するように構成された心臓マッピングシステムに関する。
【背景技術】
【０００２】
電気的回復は、第一心収縮及び期外収縮の間に発生する拡張期間隔の変化を伴う活動電位持続時間の変化の間の関係である。回復には、期外収縮の開始時間に対する心臓組織の回復特性が反映される。電気的回復曲線は、拡張期間隔の範囲にわたって活動電位持続時間を測定することによって構築することができる。曲線は最初非常に急峻であり、短い拡張期間隔が活動電位持続時間の大幅な短縮につながる。初期の急峻な部分の後、活動電位持続時間（ＡＰＤ）がより長い拡張期間隔において最大に達したとき、プラトーに達する。拡張期間隔の全範囲にわたる電気的回復曲線の傾き、又は、曲線の最も急峻な部分における傾きは、拡張期間隔の変化に対するＡＰＤの変化の応答性の尺度として用いることができる。活動電位持続時間及び不応性の分散の増加は、不整脈のリスクの増加と関連する。拡張期間隔の短縮に起因して短縮された活動電位持続時間は、細動に対する感受性を大幅に高める方法で再入脱分極のための経路を設定すると考えられている心筋の不応性を変化させる。
【発明の概要】
【発明が解決しようとする課題】
【０００３】
本発明は上記に鑑みて、最適化された活動電位持続時間及び拡張期間隔に基づいて活動電位持続時間の回復曲線を生成する方法を提供することにある。
【課題を解決するための手段】
【０００４】
心臓カテーテルによって感知された内因性心臓活性化信号から解剖学的構造をマッピングするための方法、並びに、このような方法を用いた解剖学的マッピングシステムの様々な実施形態が本明細書に開示される。
【０００５】
実施例１では、解剖学的構造をマッピングするための方法は、解剖学的構造内又はその周辺に配置された複数の電極において生理活動の活性化信号を感知し、各活性化信号は関連するサイクル長を有していることと、各サイクル長に対する活動電位持続時間及び拡張期間隔を推定することと、推定された活動電位持続時間、及び、前サイクル長から推定された拡張期間隔に基づいて初期の回復曲線を生成することと、推定された活動電位持続時間、及び、前サイクル長から推定された拡張期間隔の間の機能的関連性を最大化するため、推定された活動電位持続時間の各々、及び、対応する拡張期間隔を反復的に最適化することと、最適化された活動電位持続時間及び拡張期間隔に基づいた最終的な活動電位持続時間回復曲線を生成することとを含む。
【０００６】
実施例２では、実施例１に記載の方法において、活動電位持続時間及び拡張期間隔を推定するステップは、対応する活動電位持続時間及び拡張期間隔を推定するために各サイクル長をランダムに分割することを含む。
【０００７】
実施例３では、実施例１又は２の何れかに記載の方法において、推定された活動電位持続時間の各々、及び、対応する拡張期間隔を反復的に最適化するステップは、第一分解能で反復的に最適化することと、第一分解能で最適化した後に第二分解能で反復的に最適化し、第二分解能は第一分解能よりも高いこととをさらに含む。
【０００８】
実施例４では、実施例１〜３の何れかに記載の方法において、回復曲線を生成するステップは、推定された活動電位持続時間、及び、前サイクル長から推定された拡張期間隔の各々を一組にする二次元データセットを生成することと、初期の回復曲線を生成するために二次元データセットをプロットすることとを含む。
【０００９】
実施例５では、実施例１〜４の何れかに記載の方法において、機能的関連性を最大化するステップは、推定された活動電位持続時間、及び、前サイクル長から推定された拡張期間隔の間の相互情報量を最大化すること、推定された活動電位持続時間、及び、前サイクル長から推定された拡張期間隔の最大情報係数値を最大化すること、推定された活動電位持続時間、及び、前サイクル長から推定された拡張期間隔の間の間隔の相関尺度を最大化することの少なくとも一つを含む。
【００１０】
実施例６では、実施例１〜５の何れかに記載の方法において、方法は生成された回復曲線と所定の回復テンプレートとの類似性を最大化することをさらに含む。
実施例７では、実施例１〜６の何れかに記載の方法において、類似性を最大化するステップは、生成された回復曲線と所定の回復テンプレートとの相関係数を最大化すること、生成された回復曲線と所定の回復テンプレートとの平均二乗誤差を最小化することの少なくとも一つを含む。
【００１１】
実施例８では、実施例１〜７の何れかに記載の方法において、所定の回復テンプレートは指数関数、シグモイド関数、及び、前に生成されて最適化された回復曲線の何れかに対応する。
【００１２】
実施例９では、実施例１〜８の何れかに記載の方法において、活動電位持続時間回復曲線は複数の電極の各々に対して生成される。
実施例１０では、実施例１〜９の何れかに記載の方法において、生理活動の活性化信号は複数の電極の少なくとも一つにより制定された所定のペーシングプロトコルに応じて感知される。
【００１３】
実施例１１では、実施例１〜１０の何れかに記載の方法において、方法は生成された活動電位持続時間回復曲線に基づいて解剖学的構造の解剖学的マップを生成することをさらに含む。
【００１４】
実施例１２では、解剖学的構造をマッピングするための方法は、解剖学的構造内又はその周辺に配置された複数の電極において心臓活性化信号を感知し、各活性化信号はサイクル長に関連することと、各サイクル長を活動電位持続時間及び拡張期間隔に分割することと、各データ点が活動電位持続時間、及び、直前の拡張期間隔を含むように回復データセットを生成することと、データ点の二次元プロットを生成し、プロットは個別のグリッド位置の事前に定義されたグリッドを有していることと、回復データセット内の機能的関連性を決定することと、各データ点が一つのグリッド位置から別のグリッド位置へとずれるように各サイクル長の分割を調整することと、回復データセット内の機能的関連性を最大化するために調整及び決定のステップを反復することと、最大化された機能的関連性に対応する回復データセットに基づいて活動電位持続時間回復曲線を生成することとを含む。
【００１５】
実施例１３では、実施例１２に記載の方法において、機能的関連性は、推定された活動電位持続時間、及び、前サイクル長から推定された拡張期間隔の間の相互情報量を最大化すること、推定された活動電位持続時間、及び、前サイクル長から推定された拡張期間隔の最大情報係数値を最大化すること、推定された活動電位持続時間、及び、前サイクル長から推定された拡張期間隔の間の間隔の相関尺度を最大化することの少なくとも一つを含む。
【００１６】
実施例１４では、実施例１２又は１３の何れかに記載の方法において、機能的関連性は生成された回復曲線と所定の回復テンプレートとの類似性を最大化することに基づく。
実施例１５では、実施例１２〜１４の何れかに記載の方法において、類似性は、生成された回復曲線と所定の回復テンプレートとの相関係数を最大化すること、生成された回復曲線と所定の回復テンプレートとの平均二乗誤差を最小化することの少なくとも一つを含む。
【００１７】
実施例１６では、実施例１２〜１５の何れかに記載の方法において、所定の回復テンプレートは指数関数、シグモイド関数、及び、前に生成されて最適化された回復曲線の何れかに対応する。
【００１８】
実施例１７では、実施例１２〜１６の何れかに記載の方法において、機能的関連性が最大化された後、方法は所定のグリッドの分解能を高めることと、機能的関連性が回復データセット全体にわたってさらに増加されるまで調整及び決定のステップを反復することとを含む。
【００１９】
実施例１８では、実施例１２〜１７の何れかに記載の方法において、心臓活性化信号は複数の電極の少なくとも一つにより制定された所定のペーシングプロトコルに応じて感知される。
【００２０】
実施例１９では、実施例１２〜１８の何れかに記載の方法において、所定のペーシングプロトコルは統計的分布からサンプリングされたパルス間の間隔のランダムなペーシングパルスの少なくとも一つを含む。
【００２１】
実施例２０では、実施例１２〜１９の何れかに記載の方法において、方法は活動電位持続時間回復曲線を生成することに基づいて心臓マップを生成することをさらに含む。
実施例２１では、解剖学的構造をマッピングするための方法は、解剖学的構造内又はその周辺に配置された複数の電極において生理活動の活性化信号を感知し、各活性化信号は関連するサイクル長を有していることと、活動電位持続時間と前サイクル長との関数を生成することと、生成された関数に基づいて各サイクル長を活動電位持続時間及び拡張期間隔に分割することと、分割された活動電位持続時間、及び、前拡張期間隔に基づいて活動電位持続時間回復曲線を生成することとを含む。
【００２２】
実施例２２では、実施例２１に記載の方法において、関数を生成するステップは、前サイクル長に基づいて各活性化信号のサイクル長のヒストグラムを生成することと、生成されたヒストグラムに基づいてサイクル長の不応期を決定することと、決定された不応期に基づいて活動電位持続時間を推定することと、ヒストグラムを生成し、不応期を決定し、且つ、活動電位持続時間を推定するステップを複数の前サイクル長に対して反復することとを含む。
【００２３】
実施例２３では、実施例２０又は２１の何れかに記載の方法において、ヒストグラムを生成するステップは、記録されたサイクル長の範囲を決定することと、決定された範囲を等間隔のビンに分割することと、三つの連続した活性化信号による全ての三つ組を識別することと、第一のサイクル長のビンを共有する三つ組に対する第二及び第三の活性化信号のためのサイクル長のヒストグラムを生成することとを含む。
【００２４】
実施例２４では、実施例２０〜２３の何れかに記載の方法において、不応期は全てのサイクル長のビンに対して決定される。
実施例２５では、実施例２０〜２４の何れかに記載の方法において、不応期を決定するステップは、生成されたヒストグラムのゼロから所定の閾値に少なくとも等しい数の第一のビンまでの間の領域を識別することと、識別された領域に従って不応期を決定することとを含む。
【００２５】
実施例２６では、実施例２０〜２５の何れかに記載の方法において、推定された活動電位持続時間は不応期の期間である。
実施例２７では、実施例２０〜２６の何れかに記載の方法において、不応期を決定するステップは、生成されたヒストグラムに滑らかな関数を適合することと、生成されたヒストグラムのゼロから滑らかな関数が所定の閾値を下回る点までの間の領域を不応期として識別することとを含む。
【００２６】
実施例２８では、実施例２０〜２７の何れかに記載の方法において、滑らかな関数は滑らかなシグモイド関数である。
実施例２９では、実施例２０〜２８の何れかに記載の方法において、生理活動の活性化信号は複数の電極の少なくとも一つにより制定された所定のペーシングプロトコルに応じて感知される。
【００２７】
実施例３０では、実施例２０〜２９の何れかに記載の方法において、方法は活動電位持続時間回復曲線を生成することに基づいて心臓マップを生成することをさらに含む。
複数の実施形態が開示されているが、当業者には、本発明の例示的な実施形態を示し、説明する以下の詳細な説明から、本発明のさらに他の実施形態が明らかとなるであろう。従って、図面及び詳細な説明は当然例示としてみなされるべきであり、限定的なものとみなされるべきではない。
【図面の簡単な説明】
【００２８】
【図１】診断及び治療目的のために体内の標的とする組織領域にアクセスするためのカテーテルシステムの一実施形態の概略図である。
【図２】図１のシステムに関連して用いるためのバスケット機能要素支持構造を有するマッピングカテーテルの一実施形態の概略図である。
【図３】複数のマッピング電極を含むバスケット機能要素の一実施形態の概略側面図である。
【図４】活動電位持続時間及び拡張期間隔を含むサイクル長を示す活動電位曲線の一例を示す図である。
【図５】活動電位持続時間の回復曲線の一例を示す図である。
【図６Ａ】初期の活動電位回復曲線を示す図である。
【図６Ｂ】分割後の図６Ａの初期の活動電位回復曲線を示す図である。
【図６Ｃ】分割後の図６Ａの初期の活動電位回復曲線を示す図である。
【図７Ａ】ペーシング又は洞調律中のサイクル長のヒストグラムの一例を示す図である。
【図７Ｂ】心房細動中のサイクル長のヒストグラムの一例を示す図である。
【発明を実施するための形態】
【００２９】
本発明には様々な改変形態及び代替形態の可能性があるが、特定の実施形態が例として図面に示されており、且つ、以下に詳細に説明されている。しかしながら、本発明を記載された特定の実施形態に限定することは意図しない。それどころか、本発明は添付の特許請求の範囲によって定義される本発明の範囲内にある全ての改変形態、均等物、及び代替形態を包含することを意図する。
【００３０】
図１は、診断又は治療目的のために体内の標的とする組織領域にアクセスするためのシステム１０の概略図である。図１は一般に、心臓の左心室内に配置されたシステム１０を示す。あるいは、システム１０は左心房、右心房、又は右心室のような心臓の他の領域内に配置することもできる。図示の実施形態は心筋組織を焼灼するために用いられるシステム１０を示しているが、システム１０（及び、本明細書に記載された方法）はあるいは、前立腺、脳、胆嚢、子宮、及び身体の他の領域の組織を焼灼する行為のような、他の組織焼灼用途で用いられるように構成されてもよく、必ずしもカテーテルベースのシステムに限られない。
【００３１】
システム１０は、マッピングプローブ１４及びアブレーションプローブ１６を含む。図１において、それぞれが別々に適切な経皮アクセスを介し、静脈又は動脈（例えば、大腿静脈又は大腿動脈）を通して選択された心臓領域１２に挿入される。あるいは、マッピングプローブ１４及びアブレーションプローブ１６は、心臓領域１２における同時挿入及び同時配置のための一体構造に組み込むことができる。
【００３２】
マッピングプローブ１４は可撓性のあるカテーテル本体１８を有している。カテーテル本体１８の先端は三次元複数電極構造２０を支持している。図示の実施形態において、構造２０は開放された内部空間２２（図２参照）を定義するバスケットの形態をとるが、電極構造及び電極位置の幾何学的構造が知られている他の複数電極構造を用いることもできる。複数電極構造２０は、各々が電極位置及びチャンネルを有する複数のマッピング電極２４を支持している。各電極２４は焼灼行為を実行すべき解剖学的領域内の内因性生理活動を感知するように構成される。いくつかの実施形態において、電極は解剖学的構造、例えば心臓活動の活性化時間内における内因性生理活動の活性化信号を検出するように構成される。
【００３３】
電極２４は処理システム３２に電気的に接続される。信号線（図示なし）はバスケット構造２０上の各電極２４に電気的に接続される。より詳細に後述するように、信号線はプローブ１４の本体１８を通して延び、各電極２４を処理システム３２の入力へと電気的に接続する。電極２４は解剖学的領域、例えば心筋組織における内因性電気的活動を感知する。感知された活動、例えば活性化信号は焼灼に適した心臓内の部位を特定するため、解剖学的マップ、例えば活動電位持続時間（ＡＰＤ）の回復曲線、又は、伝導速度（ＣＶ）の回復曲線を生成することによって医師を支援するため、処理システム３２によって処理される。
【００３４】
アブレーションプローブ１６は一つ以上のアブレーション電極３６を支持する可撓性のあるカテーテル本体３４を含む。一つ以上のアブレーション電極３６は、一つ以上のアブレーション電極３６にアブレーションエネルギーを送達するように構成された無線周波数（ＲＦ）発生装置３７に電気的に接続される。アブレーションプローブ１６は構造２０と同様に、治療されるべき解剖学的特徴に対して移動可能である。アブレーションプローブ１６は、一つ以上のアブレーション電極３６が治療されるべき組織に対して位置決めされるときに、構造２０の電極２４の間に、又は隣接して位置決め可能である。
【００３５】
処理システム３２は生成されたＡＰＤマップを医師に対して表示装置４０に出力する。図示の実施形態において、処理システム３２は出力表示装置４０（例えば、ＣＲＴ、ＬＥＤディスプレイ、又はプリンタ）を含む。表示装置４０は医師にとって最も有用な形式でＡＰＤマップを表示する。また、処理システム３２は焼灼のために特定された部位において組織と接触するようにアブレーション電極３６を操作する際に医師を支援する、表示装置４０上のディスプレイのための位置特定出力を生成してもよい。
【００３６】
図２は、図１に示すシステム１０において用いられるのに適した先端に電極２４を含むマッピングカテーテル１４の一実施形態を示す。マッピングカテーテル１４は可撓性のあるカテーテル本体１８と、マッピング電極又はセンサ２４を支持するように構成された三次元構造２０を支持する先端とを有している。マッピング電極２４は心筋組織内の内因性電気的活動、例えば活性化信号を感知し、感知された活動は生成及び表示されたＡＰＤの回復曲線を介して心拍障害又は他の心筋病変を有する部位を特定する際に医師を支援するため、処理システム３２によって処理される。このプロセスは一般に、マッピングと呼ばれる。特定された部位に焼灼のような適切な治療を適用するための適切な位置を決定するため、且つ、特定された部位に一つ以上のアブレーション電極３６を誘導するため、この情報を用いることができる。
【００３７】
図示の三次元構造２０はベース部材４１及びエンドキャップ４２を含み、その間において可撓性のあるスプライン４４は一般に、周方向に空間を形成した関係で延びている。上述のように、三次元構造２０は開放された内部空間２２を定義するバスケットの形態をとる。いくつかの実施形態において、スプライン４４はニチノール金属又はシリコーンゴムのような弾力性のある不活性材料で形成され、接触する組織表面に沿って曲げられて適合するため、弾力性があり、予め緊張された状態で、ベース部材４１及びエンドキャップ４２の間に接続される。図示の実施形態において、８個のスプライン４４が三次元構造２０を形成している。他の実施形態においては、追加の、又はより少ないスプライン４４を用いることができる。図示のように、各スプライン４４は８個のマッピング電極２４を支持している。三次元構造２０の他の実施形態においては、追加の、又はより少ないマッピング電極２４を各スプライン４４上に配置することができる。図示の実施形態において、三次元構造２０は比較的小さい（例えば、直径４０ｍｍ以下）。代替実施形態においては、三次元構造２０はより大きい（例えば、直径４０ｍｍ以上）。
【００３８】
スライド可能なシース５０はカテーテル本体３０の長軸に沿って移動可能である。シース５０を前方に（すなわち、先端に向かって）移動させることによって、シース５０に三次元構造２０が詰められ、従って構造２０は例えば心臓内のような内部空間への挿入に適した、コンパクト且つロープロファイルな状態に潰される。対照的に、シース５０を後方に（すなわち、基端に向かって）移動させることによって、三次元構造２０を解放し、構造２０が弾性的に拡張し、図２に示す予め緊張された状態をとることを許容する。三次元構造２０の実施形態のさらなる詳細は、本明細書においてその全体が参考として取り入れられた「複数電極支持機構（Ｍｕｌｔｉｐｌｅ  Ｅｌｅｃｔｒｏｄｅ  Ｓｕｐｐｏｒｔ  Ｓｔｒｕｃｔｕｒｅｓ）」と題される米国特許第５，６４７，８７０号に開示されている。
【００３９】
信号線（図示なし）は各マッピング電極２４に電気的に接続される。信号線はマッピングカテーテル１４の本体３０を通してハンドル５４内に延長され、多ピンコネクタであり得る外部コネクタ５６に接続される。コネクタ５６はマッピング電極２４を処理システム３２に電気的に接続する。マッピングシステム、及び、マッピングカテーテルによって生成された信号処理のための方法のさらなる詳細は、「可動電極要素を複数電極構造体内で誘導するためのシステム（Ｓｙｓｔｅｍｓ  ａｎｄ  Ｍｅｔｈｏｄｓ  ｆｏｒ  Ｇｕｉｄｉｎｇ  Ｍｏｖａｂｌｅ  Ｅｌｅｃｔｒｏｄｅ  Ｅｌｅｍｅｎｔｓ  ｗｉｔｈｉｎ  Ｍｕｌｔｉｐｌｅ−Ｅｌｅｃｔｒｏｄｅ  Ｓｔｒｕｃｔｕｒｅ）」と題される米国特許第６，０７０，０９４号、「心臓マッピング及びアブレーションシステム（Ｃａｒｄｉａｃ  Ｍａｐｐｉｎｇ  ａｎｄ  Ａｂｌａｔｉｏｎ  Ｓｙｓｔｅｍｓ）」と題される米国特許第６，２３３，４９１号、「体腔の登録マップの精緻化のためのシステム及びプロセス（Ｓｙｓｔｅｍｓ  ａｎｄ  Ｐｒｏｃｅｓｓｅｓ  ｆｏｒ  Ｒｅｆｉｎｉｎｇ  ａ  Ｒｅｇｉｓｔｅｒｅｄ  Ｍａｐ  ｏｆ  ａ  Ｂｏｄｙ  Ｃａｖｉｔｙ）」と題される米国特許第６，７３５，４６５号に記載されており、これらの開示は本明細書において参考として取り入れられている。
【００４０】
他の複数電極構造をマッピングカテーテル１４の先端に配置することができることに留意されたい。また、複数のマッピング電極２４が例えば図２に示す単一のマッピングカテーテル１４ではなく、複数の構造上に配置されてもよいことに留意されたい。例えば、複数のマッピング構造とともに左心房内にマッピングされた場合、複数のマッピング電極を支持する冠状静脈洞カテーテルと、左心房内に配置された複数のマッピング電極を支持するバスケットカテーテルとを含む構成が用いられてもよい。他の例として、複数のマッピング構造とともに右心房内にマッピングされた場合、冠状静脈洞内に配置するための複数のマッピング電極を支持する１０極カテーテルと、三尖弁輪の周辺に配置するための複数のマッピング電極を支持するループカテーテルとを含む構成が用いられてもよい。
【００４１】
マッピング電極２４はマッピングカテーテル１４のような専用のマッピングプローブによって支持されていると記載されているが、マッピング電極は非マッピング専用プローブ又は多機能プローブ上に支持されてもよい。例えば、アブレーションカテーテル１６のようなアブレーションカテーテルはカテーテル本体の先端上に配置され、信号処理システム３２及び誘導システム３８に接続された一つ以上のマッピング電極２４を含むように構成することができる。他の例として、アブレーションカテーテルの先端のアブレーション電極はマッピング電極としても動作するよう、信号処理システム３２に接続されてもよい。
【００４２】
システム１０の動作を説明するため、図３は複数のマッピング電極２４を含むバスケット構造２０の一実施形態の概略側面図を示す。図示の実施形態において、バスケット構造は６４個のマッピング電極２４を含む。マッピング電極２４は８個のスプライン（Ａ、Ｂ、Ｃ、Ｄ、Ｅ、Ｆ、Ｇ、及びＨ）の各々の上の、８個の電極のグループ（１、２、３、４、５、６、７、及び８）に配置されている。６４個のマッピング電極２４の構成がバスケット構造２０上に配置されて示されているが、マッピング電極２４は代わりに異なる数、異なる構造、及び異なる位置の少なくとも一つにおいて配置されてもよい。また、複数のバスケット構造は異なる解剖学的構造から信号を同時に取得するため、同じ、又は異なる解剖学的構造に配置することができる。
【００４３】
バスケット構造２０が治療されるべき解剖学的構造（例えば、心臓の左心房、左心室、右心房、又は右心室）に隣接して位置決めされた後、処理システム３２は解剖学的構造の生理活動に関連した各電極２４のチャンネルからの活性化信号を記録するように構成される。すなわち、電極２４は解剖学的構造の生理機能に固有の電気的活性化信号を測定する。生理活動の活性化信号は、内因性生理活動に応じて、又は、複数の電極２４の少なくとも一つにより制定された所定のペーシングプロトコルに基づいて、感知することができる。処理システム３２は前拡張期間隔（ｐＤＩ）と活動電位持続時間との間、並びに、前拡張期間隔と解剖学的構造の伝導速度との間の相関情報に基づいて回復曲線を決定するように構成することができる。あるいは、処理システム３２は活動電位持続時間と前拡張期間隔（ｐＤＩ）との間の相関に基づいたヒストグラムを用いた回復曲線を決定するように構成することができる。回復曲線は心臓の病変、例えば心不整脈を特定し、又は特徴づけようとする際に医師にとって有用になる。
【００４４】
図４はサイクル長（ＣＬ）、並びに、活動電位持続時間（ＡＰＤ）、すなわち活動から同じ拍の回復までの期間と、拡張期間隔（ＤＩ）、すなわち現在の拍の回復から次の拍の活動までの期間とで構成された二つの連続した拍の活動の間の期間を含む活動電位を示す。ＡＰＤを決定する要因の一つは、前のＣＬである。ＣＬが一定の場合、ＡＰＤも一定となる。しかしながら、ＣＬが短く、又は長くなった場合、現在のＡＰＤはそれぞれ短く、又は長くなる。ＡＰＤの変化と前ＤＩ（ｐＤＩ）の変化との関係は回復として知られている。回復は解剖学的構造、例えば心臓組織の回復特性を反映し、医師が診断をする際に重要となる。
【００４５】
図５に示すように、回復曲線はｐＤＩ（又はＣＬ）に対するＡＰＤの変化をプロットしたものであり、異常な信号伝導及び細動の少なくとも一方のような心臓の病態を理解する上で重要である。回復曲線はまた、活性化信号の伝播を可視化するため、活性化信号に活動電位波形を挿入するための手引きとして用いることができる。ＡＰＤの回復曲線は一般的に拡張期間隔の範囲にわたって測定され、指数関数曲線に類似又は対応するようにプロットされる。従来、各対応するＤＩのためのＡＰＤを測定するため、人工的に様々なＤＩを生成するための心臓ペーシングプロトコルを介してＤＩは一定に設定されていた。
【００４６】
いくつかの実施形態において、処理システム３２は、取得された活動電位のＡＰＤ及びｐＤＩの間の機能的関連性又は関連付けに基づいてＡＰＤの回復曲線を決定するように構成される。活性化信号が記録された後、処理システム３２は各活性化信号のサイクル長を決定し、各サイクル長に対するＡＰＤ及びＤＩを推定する。各サイクル長に対するＡＰＤ及びＤＩの初期推定値はランダムであるか、所定の回復テンプレート、又は、前に決定された回復曲線のような事前情報に基づくことができる。処理システム３２は、推定されたＡＰＤの各々と推定されたｐＤＩ、すなわち直前の活性化信号から推定されたＤＩとを一組にする二次元回復データセットを生成する。回復データセットは図５に示すような初期の回復曲線を生成するために二次元座標平面上にプロットされ、ここでｘ軸はミリ秒単位のｐＤＩであり、ｙ軸はミリ秒単位のＡＰＤであり、従って回復曲線上の各点は（ｐＤＩ，ＡＰＤ）の形式となる。初期の回復曲線は推定された、及び、任意に選択された少なくとも一方のＡＰＤ及びＤＩの初期の回復データセットに基づいているので、初期の回復曲線は図５に示す指数関数曲線に類似しない可能性がある。しかしながら、各ＣＬに対する初期のＡＰＤ及びＤＩの推定の際に事前知識を適用すれば、初期の回復曲線はＡＰＤの回復曲線に一般的に特有の指数関数曲線に類似させることができる。
【００４７】
処理システム３２は回復データセットの二つの期間、すなわちＡＰＤ及びｐＤＩの間の機能的関連性を決定する。機能的関連性は、相互情報量、最大情報係数、及び、推定された活動電位期間と前のサイクル長から推定された拡張期間隔との間の間隔の相関の少なくとも一つを最大化することを含んでもよい。記録された活性化信号の各ＣＬに対する実際のＡＰＤ及びＤＩは未知であるため、処理システム３２は反復的機能的関連性を用いてＡＰＤ及びＤＩを推定することができる。例えば、処理システムは、機能的関連性、すなわち、相互情報量、最大情報係数、及び間隔の相関が最大化され、最適化された回復データセットから得られたＡＰＤの回復曲線が図５に示す指数プロットに類似する点まで、初期の回復データセットを最適化するために反復的な変更を行う。
【００４８】
相互情報量の相関は二つの変数、すなわちＡＰＤとｐＤＩとの関係の関数形式を仮定することなく、それらの間の関連又は依存度を定量化する。最大情報係数は二つの変数Ｘ及びＹ、すなわちＡＰＤ及びｐＤＩの間の線形又は非線形関連の強度の尺度である。間隔の相関は任意の、必ずしも等寸法ではない二つのランダムな変数、又は二つのランダムなベクトル、すなわちＡＰＤ及びｐＤＩの間の統計的依存の尺度であり、間隔の分散、間隔の標準偏差、及び間隔の共分散に通常由来する。
【００４９】
機能的関連性に従って初期の回復データセットを最適化するため、処理システム３２は初期の回復曲線（図６Ａ）を図６Ｂに示すように複数のグリッド位置を有するグリッドに分割し、初期の機能的関連性が決定される。処理システム３２は一つのグリッド位置を選択し、選択されたグリッド位置から６つの隣接するグリッド位置の一つへと点を移動させる。回復曲線上の点は（ｐＤＩ，ＡＰＤ）として表されることから、回復曲線上の点を移動するため、処理システム３２は点が隣接するグリッド位置の一つに位置するように、その点に対応する推定されたＡＰＤ及びｐＤＩの少なくとも一方を調整する。点を隣接するグリッド位置に再配置した後、機能的関連性を決定する。機能的関連性の正の変化が前及び現在の機能的関連性の間で観察された場合、回復データセットにおいて変更内容を更新する。このように、各グリッド位置内の点はすべてのグリッド再配置に対してすべてのグリッド位置における機能的関連性が最大化されるまで、隣接するグリッド位置に再配置される。得られた回復データセットは、最適化されたＡＰＤ及びｐＤＩの値からなる最適化された回復データセットである。
【００５０】
いくつかの実施形態において、回復データセット、及び、対応する推定されたＡＰＤ及びｐＤＩの値をさらに最適化するため、図６Ｃに示すようにより低い分解能からより高い分解能へとグリッドの分解能を高め、機能的関連性がさらに最大化されるまで、一つのグリッド位置から隣接するグリッド位置へと点を再配置するプロセスが反復される。例えば、選択されたグリッド位置において、処理システム３２は選択されたグリッド位置内にある回復データセットの点を、その点に関連したＡＰＤ及びｐＤＩの値を調整することによって８つの隣接するグリッド位置の何れかに再配置する。機能的関連性は決定され、前の機能的関連性と比較される。機能的関連性において正の変化が観察された場合、回復データセットにおいて変更内容を更新する。このプロセスは機能的関連性が最大化されるまで、各々の対応する隣接するグリッド位置に対して各々のグリッド位置において反復される。
【００５１】
いくつかの実施形態において、回復データセットは複数の電極の内の選択された電極のセットから生成される。回復データセットは前述のように機能的関連性に従って最適化される。結果として得られる最適化されたＡＰＤの回復曲線は所定の回復テンプレートとして設定され、電極の隣接するセットに対して最適化された回復データセットを生成するための前述の事前知識として用いられる。
【００５２】
事前情報は、生成された回復データセットと所定の回復テンプレートとの類似性を最大化するために用いることができる。類似性は生成された回復曲線と所定の回復テンプレートとの相関係数を最大化すること、又は、生成された回復曲線と所定の回復テンプレートとの平均二乗誤差を最小化することを含んでもよい。回復テンプレートは、同じ患者又は異なる患者に対して前に生成された回復テンプレート、同じ試験中に電極の近接又は隣接するセットから生成された回復曲線、上昇指数関数、及びシグモイド関数の何れかを含んでもよい。
【００５３】
いくつかの実施形態において、処理システム３２は活動電位持続時間と前のサイクル長との関数に基づく回復曲線を決定するように構成される。例えば、関数は活動電位持続時間（ＡＰＤ）及び前サイクル長（ｐＣＬ）の間のヒストグラム相関であってもよい。ペーシング又は洞調律中のＣＬの一般的なヒストグラムは、図７Ａに示すように狭いことが予想される。しかしながら、心房細動、又は、ランダムなペーシングプロトコルの間のＣＬのヒストグラムは、図７Ｂに示すように広くなり得る。活性化信号を十分に記録すると、ヒストグラムの下方の尾部は不応期６０に起因してゼロに収束する。不応期とは、活動電位後の新たな活動電位を誘発することができない期間である。この不応期６０は各サイクル長のＡＰＤを推定するために用いることができ、そこから記録された活性化信号のＡＰＤの回復曲線を生成するために対応するＤＩ及びｐＤＩを推定することができる。
【００５４】
処理システム３２は複数の電極２４から活性化信号を感知し、各活性化信号に対するサイクル長（ＣＬ）を決定する。生理活動の活性化信号は、内因性生理活動に応じて、又は、複数の電極２４の少なくとも一つにより制定された所定のペーシングプロトコルに基づいて、感知することができる。決定されたＣＬのヒストグラムは前のサイクル長に基づいて生成される。処理システム３２は全てのＣＬの範囲を決定し、その範囲を等間隔のビンに分割する。例えば、決定された範囲が１１０ミリ秒（ｍｓ）〜５００ｍｓの場合、処理システムは１１０〜１１５ｍｓ、１１５〜１２０ｍｓ、１２０〜１２５ｍｓ等というように５ｍｓ間隔のビンを生成してもよい。しかしながら、この間隔はより短く、又はより長くすることができる。前述のように、ＡＰＤは直前のＤＩ、又はｐＤＩに依存する。処理システムは三つの連続した活性化信号の全てのセットを識別し、同じ第一のサイクル長のビンを共有する全ての三つ組に対する第二の二つの活性化信号のためのサイクル長のヒストグラムを生成する。例えば、１１０ｍｓ〜１１５ｍｓのビン内にある第一のサイクル長を伴う全ての三つ組に対して、第二及び第三の活性化信号の間のサイクル長をヒストグラム化する。処理システム３２は、例えば滑らかなシグモイド関数のような滑らかな関数を用いて生成されたヒストグラムからノイズ及び異常値をフィルタリングするように構成される。
【００５５】
不応期６０は生成されたヒストグラムに基づいて推定される。生成されたヒストグラムのゼロから所定の閾値に少なくとも等しい数の第一のビンまでの間の領域は、不応期６０として識別される。所定の閾値の数はゼロであっても、数の割合に基づいた相対的な閾値であってもよい。不応期６０は全てのサイクル長のビンに対して決定される。各ビンの活動電位持続時間は対応する不応期６０に従って推定され、対応する不応期の期間として設定されてもよい。
【００５６】
全ての前サイクル長（ｐＣＬ）のビン、すなわち１１５〜１２０ｍｓ、１２０〜１２５ｍｓ等に対して、複数のデータ点（ＡＰＤ，ｐＣＬ）を得るため、ヒストグラムを生成し、生成されたヒストグラムから不応期を決定し、決定された不応期からＡＰＤを推定するというプロセスが反復される。データ点はＡＰＤと前のサイクル長との関数を生成するためにプロットすることができる。例えば、ＡＰＤ対ｐＣＬの曲線は各ｐＣＬのビンに対して決定されたＡＰＤに従って生成することができる。処理システム３２は決定されたＣＬの各々をこの関数に従ってＡＰＤ及びＤＩに分割する。得られたＡＰＤは分割されたＣＬに対する回復曲線を生成するため、対応する前の拡張期間隔に対してプロットすることができる。
【００５７】
記載された代表的な実施形態に対して本発明の範囲から逸脱することなく、様々な修正及び追加を行うことができる。例えば、上述の実施形態は特定の特徴について述べているが、本発明の範囲はまた、異なる特徴の組み合わせを有する実施形態、及び、記載された特徴の全てを含まない実施形態も含む。従って、本発明の範囲は、その全ての均等物とともに、特許請求の範囲内に入るような全ての代替、修正、及び変形物を包含することを意図する。
【図２】
2016508057.tif 000003
【図３】
2016508057.tif 000004
【図４】
2016508057.tif 000005
【図５】
2016508057.tif 000006
【図６Ａ】
2016508057.tif 000007
【図６Ｂ】
2016508057.tif 000008
【図６Ｃ】
2016508057.tif 000009
【図１】
2016508057.tif 000010
【図７Ａ】
2016508057.tif 000011
【図７Ｂ】
2016508057.tif 000012
【手続補正書】
【提出日】平成27年11月11日(2015.11.11)
【手続補正１】
【補正対象書類名】特許請求の範囲
【補正対象項目名】全文
【補正方法】変更
【補正の内容】
【特許請求の範囲】
【請求項１】
生理活動の活性化信号を感知するように構成された複数の電極を備え、複数の前記電極は解剖学的構造内、又は、前記解剖学的構造の周辺に配置され、前記活性化信号の各々は関連するサイクル長を有し、
複数の前記電極と関連した信号処理システムを備え、前記信号処理システムは
前記サイクル長の各々に対する活動電位持続時間及び拡張期間隔を推定し、
推定された前記活動電位持続時間、及び、前サイクル長から推定された前記拡張期間隔に基づいて初期の回復曲線を生成し、
推定された前記活動電位持続時間、及び、前記前サイクル長から推定された前記拡張期間隔の間の機能的関連性を最大化するため、推定された前記活動電位持続時間の各々、及び、対応する前記拡張期間隔を反復的に最適化し、且つ、
最適化された前記活動電位持続時間及び前記拡張期間隔に基づいた最終的な活動電位持続時間回復曲線を生成するように構成されるカテーテルシステム。
【請求項２】
請求項１に記載のカテーテルシステムにおいて、前記信号処理システムは対応する前記活動電位持続時間及び前記拡張期間隔を推定するため、前記サイクル長の各々をランダムに分割するようにさらに構成されるカテーテルシステム。
【請求項３】
請求項１又は２に記載のカテーテルシステムにおいて、前記信号処理システムは、
推定された前記活動電位持続時間の各々、及び、対応する前記拡張期間隔を第一分解能で反復的に最適化し、且つ、
推定された前記活動電位持続時間の各々、及び、対応する前記拡張期間隔を前記第一分解能で最適化した後に第二分解能で反復的に最適化し、前記第二分解能は前記第一分解能よりも高いようにさらに構成されるカテーテルシステム。
【請求項４】
請求項１〜３の何れか一項に記載のカテーテルシステムにおいて、前記信号処理システムは、
推定された前記活動電位持続時間、及び、前記前サイクル長から推定された前記拡張期間隔の各々を一組にする二次元データセットを生成し、且つ、
初期の前記回復曲線を生成するために前記二次元データセットをプロットするようにさらに構成されるカテーテルシステム。
【請求項５】
請求項１〜４の何れか一項に記載のカテーテルシステムにおいて、前記機能的関連性を最大化するため、前記信号処理システムは、
推定された前記活動電位持続時間、及び、前記前サイクル長から推定された前記拡張期間隔の間の相互情報量を最大化すること、
推定された前記活動電位持続時間、及び、前記前サイクル長から推定された前記拡張期間隔の最大情報係数値を最大化すること、
推定された前記活動電位持続時間、及び、前記前サイクル長から推定された前記拡張期間隔の間の間隔の相関尺度を最大化すること
の少なくとも一つを実行するようにさらに構成されるカテーテルシステム。
【請求項６】
請求項１〜５の何れか一項に記載のカテーテルシステムにおいて、前記信号処理システムは生成された前記回復曲線と所定の回復テンプレートとの類似性を最大化するようにさらに構成されるカテーテルシステム。
【請求項７】
請求項６に記載のカテーテルシステムにおいて、前記類似性を最大化するため、前記信号処理システムは、
生成された前記回復曲線と所定の前記回復テンプレートとの相関係数を最大化すること、
生成された前記回復曲線と所定の前記回復テンプレートとの平均二乗誤差を最小化すること
の少なくとも一つを実行するようにさらに構成されるカテーテルシステム。
【請求項８】
請求項６又は７に記載のカテーテルシステムにおいて、前記信号処理システムは所定の前記回復テンプレートが指数関数、シグモイド関数、及び、前に生成されて最適化された前記回復曲線の何れかに対応するように、前記類似性を最大化するようにさらに構成されるカテーテルシステム。
【請求項９】
請求項１〜８の何れか一項に記載のカテーテルシステムにおいて、前記信号処理システムは前記活動電位持続時間回復曲線を複数の前記電極の各々に対して生成するようにさらに構成されるカテーテルシステム。
【請求項１０】
請求項１〜９の何れか一項に記載のカテーテルシステムにおいて、複数の前記電極の少なくとも一つは所定のペーシングプロトコルを制定し、所定の前記ペーシングプロトコルに応じて前記生理活動の前記活性化信号を感知するようにさらに構成されるカテーテルシステム。
【請求項１１】
請求項１〜１０の何れか一項に記載のカテーテルシステムにおいて、前記信号処理システムは生成された前記活動電位持続時間回復曲線に基づいて前記解剖学的構造の解剖学的マップを生成するようにさらに構成されるカテーテルシステム。
【請求項１２】
心臓活性化信号を感知するように構成された複数の電極を備え、複数の前記電極は解剖学的構造内、又は、前記解剖学的構造の周辺に配置され、前記心臓活性化信号の各々はサイクル長に関連し、
複数の前記電極と関連した信号処理システムを備え、前記信号処理システムは
前記サイクル長の各々を活動電位持続時間及び拡張期間隔に分割し、
データ点の各々が前記活動電位持続時間、及び、直前の前記拡張期間隔を含むように回復データセットを生成し、
前記データ点の二次元プロットを生成し、前記二次元プロットは個別のグリッド位置の事前に定義されたグリッドを有し、
前記回復データセット内の機能的関連性を決定し、
前記データ点の各々が一つの前記グリッド位置から別の前記グリッド位置へとずれるように前記サイクル長の各々の分割を調整し、
前記回復データセット内の前記機能的関連性を最大化するために調整及び決定のステップを反復し、且つ、
最大化された前記機能的関連性に対応する前記回復データセットに基づいて活動電位持続時間回復曲線を生成するように構成されるカテーテルシステム。
【請求項１３】
請求項１２に記載のカテーテルシステムにおいて、前記機能的関連性を最大化するため、前記信号処理システムは、
推定された前記活動電位持続時間、及び、前サイクル長から推定された前記拡張期間隔の間の相互情報量を最大化すること、
推定された前記活動電位持続時間、及び、前記前サイクル長から推定された前記拡張期間隔の最大情報係数値を最大化すること、
推定された前記活動電位持続時間、及び、前記前サイクル長から推定された前記拡張期間隔の間の間隔の相関尺度を最大化すること
の少なくとも一つを実行するようにさらに構成されるカテーテルシステム。
【請求項１４】
請求項１２又は１３に記載のカテーテルシステムにおいて、前記機能的関連性を最大化するため、前記信号処理システムは生成された回復曲線と所定の回復テンプレートとの類似性を最大化するようにさらに構成されるカテーテルシステム。
【請求項１５】
請求項１４に記載のカテーテルシステムにおいて、前記類似性を最大化するため、前記信号処理システムは、
生成された前記回復曲線と所定の前記回復テンプレートとの相関係数を最大化すること、
生成された前記回復曲線と所定の前記回復テンプレートとの平均二乗誤差を最小化すること
の少なくとも一つを実行するようにさらに構成されるカテーテルシステム。
【請求項１６】
請求項１４又は１５に記載のカテーテルシステムにおいて、前記信号処理システムは所定の前記回復テンプレートが指数関数、シグモイド関数、及び、前に生成されて最適化された前記回復曲線の何れかに対応するように、前記類似性を最大化するようにさらに構成されるカテーテルシステム。
【請求項１７】
請求項１２〜１６の何れか一項に記載のカテーテルシステムにおいて、前記機能的関連性が最大化された後、前記信号処理システムは、
所定の前記グリッドの分解能を高め、且つ、
前記機能的関連性が前記回復データセット全体にわたってさらに増加するまで調整及び決定のステップを反復するようにさらに構成されるカテーテルシステム。
【請求項１８】
請求項１２〜１７の何れか一項に記載のカテーテルシステムにおいて、複数の前記電極の少なくとも一つは所定のペーシングプロトコルを制定し、所定の前記ペーシングプロトコルに応じて前記心臓活性化信号を感知するようにさらに構成されるカテーテルシステム。
【請求項１９】
請求項１８に記載のカテーテルシステムにおいて、複数の前記電極の少なくとも一つは統計的分布からサンプリングされたパルス間の間隔のランダムなペーシングパルスの少なくとも一つを含む所定の前記ペーシングプロトコルを制定するように構成されるカテーテルシステム。
【請求項２０】
請求項１２〜１９の何れか一項に記載のカテーテルシステムにおいて、前記信号処理システムは前記活動電位持続時間回復曲線を生成することに基づいて心臓マップを生成するようにさらに構成されるカテーテルシステム。
【請求項２１】
生理活動の活性化信号を感知するように構成された複数の電極を備え、複数の前記電極は解剖学的構造内、又は、前記解剖学的構造の周辺に配置され、前記活性化信号の各々は関連するサイクル長を有し、
複数の前記電極と関連した信号処理システムを備え、前記信号処理システムは
活動電位持続時間と前サイクル長との関数を生成し、
生成された前記関数に基づいて前記サイクル長の各々を前記活動電位持続時間及び拡張期間隔に分割し、且つ、
分割された前記活動電位持続時間、及び、前拡張期間隔に基づいて活動電位持続時間回復曲線を生成するように構成されるカテーテルシステム。
【請求項２２】
請求項２１に記載のカテーテルシステムにおいて、前記関数を生成するため、前記信号処理システムは、
前記前サイクル長に基づいて前記活性化信号の各々の前記サイクル長のヒストグラムを生成し、
生成された前記ヒストグラムに基づいて前記サイクル長の不応期を決定し、
決定された前記不応期に基づいて前記活動電位持続時間を推定し、且つ、
前記ヒストグラムを生成し、前記不応期を決定し、且つ、前記活動電位持続時間を推定するステップを複数の前記前サイクル長に対して反復するようにさらに構成されるカテーテルシステム。
【請求項２３】
請求項２２に記載のカテーテルシステムにおいて、前記ヒストグラムを生成するため、前記信号処理システムは、
記録された前記サイクル長の範囲を決定し、
決定された前記範囲を等間隔のビンに分割し、
三つの連続した前記活性化信号による全ての三つ組を識別し、且つ、
第一の前記サイクル長の前記ビンを共有する前記三つ組に対する第二及び第三の前記活性化信号のための前記サイクル長の前記ヒストグラムを生成するようにさらに構成されるカテーテルシステム。
【請求項２４】
請求項２３に記載のカテーテルシステムにおいて、前記信号処理システムは前記不応期を全ての前記サイクル長の前記ビンに対して決定するようにさらに構成されるカテーテルシステム。
【請求項２５】
請求項２３に記載のカテーテルシステムにおいて、前記不応期を決定するため、前記信号処理システムは、
生成された前記ヒストグラムのゼロから所定の閾値に少なくとも等しい数の第一の前記ビンまでの間の領域を識別し、且つ、
識別された前記領域に従って前記不応期を決定するようにさらに構成されるカテーテルシステム。
【請求項２６】
請求項２２〜２５の何れか一項に記載のカテーテルシステムにおいて、前記信号処理システムは推定された前記活動電位持続時間を前記不応期の期間とするようにさらに構成されるカテーテルシステム。
【請求項２７】
請求項２２〜２６の何れか一項に記載のカテーテルシステムにおいて、前記不応期を決定するため、前記信号処理システムは、
生成された前記ヒストグラムに滑らかな関数を適合し、
生成された前記ヒストグラムのゼロから滑らかな前記関数が所定の閾値を下回る点までの間の領域を前記不応期として識別するようにさらに構成されるカテーテルシステム。
【請求項２８】
請求項２７に記載のカテーテルシステムにおいて、前記信号処理システムは生成された前記ヒストグラムに滑らかなシグモイド関数である滑らかな前記関数を適合するように構成されるカテーテルシステム。
【請求項２９】
請求項２１〜２８の何れか一項に記載のカテーテルシステムにおいて、複数の前記電極の少なくとも一つは所定のペーシングプロトコルを制定し、所定の前記ペーシングプロトコルに応じて前記生理活動の前記活性化信号を感知するようにさらに構成されるカテーテルシステム。
【請求項３０】
請求項２１〜２９の何れか一項に記載のカテーテルシステムにおいて、前記信号処理システムは前記活動電位持続時間回復曲線を生成することに基づいて心臓マップを生成するようにさらに構成されるカテーテルシステム。
【手続補正３】
【補正対象書類名】明細書
【補正対象項目名】０００３
【補正方法】変更
【補正の内容】
【０００３】
本発明は上記に鑑みて、最適化された活動電位持続時間及び拡張期間隔に基づいて活動電位持続時間回復曲線を生成する方法を提供することにある。
【手続補正４】
【補正対象書類名】明細書
【補正対象項目名】０００５
【補正方法】変更
【補正の内容】
【０００５】
実施例１では、解剖学的構造をマッピングするためのカテーテルシステムは生理活動の活性化信号を感知するように構成された複数の電極を備え、複数の電極は解剖学的構造内、又は、解剖学的構造の周辺に配置され、活性化信号の各々は関連するサイクル長を有する。また、カテーテルシステムは複数の電極と関連した信号処理システムを備え、信号処理システムはサイクル長の各々に対する活動電位持続時間及び拡張期間隔を推定し、推定された活動電位持続時間、及び、前サイクル長から推定された拡張期間隔に基づいて初期の回復曲線を生成し、推定された活動電位持続時間、及び、前サイクル長から推定された拡張期間隔の間の機能的関連性を最大化するため、推定された活動電位持続時間の各々、及び、対応する拡張期間隔を反復的に最適化し、且つ、最適化された活動電位持続時間及び拡張期間隔に基づいた最終的な活動電位持続時間回復曲線を生成するように構成される。
【手続補正５】
【補正対象書類名】明細書
【補正対象項目名】０００６
【補正方法】変更
【補正の内容】
【０００６】
実施例２では、実施例１に記載のカテーテルシステムにおいて、信号処理システムは対応する活動電位持続時間及び拡張期間隔を推定するため、サイクル長の各々をランダムに分割するようにさらに構成される。
【手続補正６】
【補正対象書類名】明細書
【補正対象項目名】０００７
【補正方法】変更
【補正の内容】
【０００７】
実施例３では、実施例１又は２に記載のカテーテルシステムにおいて、信号処理システムは推定された活動電位持続時間の各々、及び、対応する拡張期間隔を第一分解能で反復的に最適化し、且つ、推定された活動電位持続時間の各々、及び、対応する拡張期間隔を第一分解能で最適化した後に第二分解能で反復的に最適化し、第二分解能は第一分解能よりも高いようにさらに構成される。
【手続補正７】
【補正対象書類名】明細書
【補正対象項目名】０００８
【補正方法】変更
【補正の内容】
【０００８】
実施例４では、実施例１〜３の何れかに記載のカテーテルシステムにおいて、信号処理システムは推定された活動電位持続時間、及び、前サイクル長から推定された拡張期間隔の各々を一組にする二次元データセットを生成し、且つ、初期の回復曲線を生成するために二次元データセットをプロットするようにさらに構成される。
【手続補正８】
【補正対象書類名】明細書
【補正対象項目名】０００９
【補正方法】変更
【補正の内容】
【０００９】
実施例５では、実施例１〜４の何れかに記載のカテーテルシステムにおいて、機能的関連性を最大化するため、信号処理システムは推定された活動電位持続時間、及び、前サイクル長から推定された拡張期間隔の間の相互情報量を最大化すること、推定された活動電位持続時間、及び、前サイクル長から推定された拡張期間隔の最大情報係数値を最大化すること、推定された活動電位持続時間、及び、前サイクル長から推定された拡張期間隔の間の間隔の相関尺度を最大化することの少なくとも一つを実行するようにさらに構成される。
【手続補正９】
【補正対象書類名】明細書
【補正対象項目名】００１０
【補正方法】変更
【補正の内容】
【００１０】
実施例６では、実施例１〜５の何れかに記載のカテーテルシステムにおいて、信号処理システムは生成された回復曲線と所定の回復テンプレートとの類似性を最大化するようにさらに構成される。
実施例７では、実施例６に記載のカテーテルシステムにおいて、類似性を最大化するため、信号処理システムは生成された回復曲線と所定の回復テンプレートとの相関係数を最大化すること、生成された回復曲線と所定の回復テンプレートとの平均二乗誤差を最小化することの少なくとも一つを実行するようにさらに構成される。
【手続補正１０】
【補正対象書類名】明細書
【補正対象項目名】００１１
【補正方法】変更
【補正の内容】
【００１１】
実施例８では、実施例６又は７に記載のカテーテルシステムにおいて、信号処理システムは所定の回復テンプレートが指数関数、シグモイド関数、及び、前に生成されて最適化された回復曲線の何れかに対応するように、類似性を最大化するようにさらに構成される。
【手続補正１１】
【補正対象書類名】明細書
【補正対象項目名】００１２
【補正方法】変更
【補正の内容】
【００１２】
実施例９では、実施例１〜８の何れかに記載のカテーテルシステムにおいて、信号処理システムは活動電位持続時間回復曲線を複数の電極の各々に対して生成するようにさらに構成される。
実施例１０では、実施例１〜９の何れかに記載のカテーテルシステムにおいて、複数の電極の少なくとも一つは所定のペーシングプロトコルを制定し、所定のペーシングプロトコルに応じて生理活動の活性化信号を感知するようにさらに構成される。
【手続補正１２】
【補正対象書類名】明細書
【補正対象項目名】００１３
【補正方法】変更
【補正の内容】
【００１３】
実施例１１では、実施例１〜１０の何れかに記載のカテーテルシステムにおいて、信号処理システムは生成された活動電位持続時間回復曲線に基づいて解剖学的構造の解剖学的マップを生成するようにさらに構成される。
【手続補正１３】
【補正対象書類名】明細書
【補正対象項目名】００１４
【補正方法】変更
【補正の内容】
【００１４】
実施例１２では、解剖学的構造をマッピングするためのカテーテルシステムは心臓活性化信号を感知するように構成された複数の電極を備え、複数の電極は解剖学的構造内、又は、解剖学的構造の周辺に配置され、心臓活性化信号の各々はサイクル長に関連する。また、カテーテルシステムは複数の電極と関連した信号処理システムを備え、信号処理システムはサイクル長の各々を活動電位持続時間及び拡張期間隔に分割し、データ点の各々が活動電位持続時間、及び、直前の拡張期間隔を含むように回復データセットを生成し、データ点の二次元プロットを生成し、二次元プロットは個別のグリッド位置の事前に定義されたグリッドを有し、回復データセット内の機能的関連性を決定し、データ点の各々が一つのグリッド位置から別のグリッド位置へとずれるようにサイクル長の各々の分割を調整し、回復データセット内の機能的関連性を最大化するために調整及び決定のステップを反復し、且つ、最大化された機能的関連性に対応する回復データセットに基づいて活動電位持続時間回復曲線を生成するように構成される。
【手続補正１４】
【補正対象書類名】明細書
【補正対象項目名】００１５
【補正方法】変更
【補正の内容】
【００１５】
実施例１３では、実施例１２に記載のカテーテルシステムにおいて、機能的関連性を最大化するため、信号処理システムは推定された活動電位持続時間、及び、前サイクル長から推定された拡張期間隔の間の相互情報量を最大化すること、推定された活動電位持続時間、及び、前サイクル長から推定された拡張期間隔の最大情報係数値を最大化すること、推定された活動電位持続時間、及び、前サイクル長から推定された拡張期間隔の間の間隔の相関尺度を最大化することの少なくとも一つを実行するようにさらに構成される。
【手続補正１５】
【補正対象書類名】明細書
【補正対象項目名】００１６
【補正方法】変更
【補正の内容】
【００１６】
実施例１４では、実施例１２又は１３の何れかに記載のカテーテルシステムにおいて、機能的関連性を最大化するため、信号処理システムは生成された回復曲線と所定の回復テンプレートとの類似性を最大化するようにさらに構成される。
実施例１５では、実施例１４に記載のカテーテルシステムにおいて、類似性を最大化するため、信号処理システムは生成された回復曲線と所定の回復テンプレートとの相関係数を最大化すること、生成された回復曲線と所定の回復テンプレートとの平均二乗誤差を最小化することの少なくとも一つを実行するようにさらに構成される。
【手続補正１６】
【補正対象書類名】明細書
【補正対象項目名】００１７
【補正方法】変更
【補正の内容】
【００１７】
実施例１６では、実施例１４又は１５に記載のカテーテルシステムにおいて、信号処理システムは所定の回復テンプレートが指数関数、シグモイド関数、及び、前に生成されて最適化された回復曲線の何れかに対応するように、類似性を最大化するようにさらに構成される。
【手続補正１７】
【補正対象書類名】明細書
【補正対象項目名】００１８
【補正方法】変更
【補正の内容】
【００１８】
実施例１７では、実施例１２〜１６の何れかに記載のカテーテルシステムにおいて、機能的関連性が最大化された後、信号処理システムは所定のグリッドの分解能を高め、且つ、機能的関連性が回復データセット全体にわたってさらに増加するまで調整及び決定のステップを反復するようにさらに構成される。
【手続補正１８】
【補正対象書類名】明細書
【補正対象項目名】００１９
【補正方法】変更
【補正の内容】
【００１９】
実施例１８では、実施例１２〜１７の何れかに記載のカテーテルシステムにおいて、複数の電極の少なくとも一つは所定のペーシングプロトコルを制定し、所定のペーシングプロトコルに応じて心臓活性化信号を感知するようにさらに構成される。
【手続補正１９】
【補正対象書類名】明細書
【補正対象項目名】００２０
【補正方法】変更
【補正の内容】
【００２０】
実施例１９では、実施例１８に記載のカテーテルシステムにおいて、複数の電極の少なくとも一つは統計的分布からサンプリングされたパルス間の間隔のランダムなペーシングパルスの少なくとも一つを含む所定のペーシングプロトコルを制定するように構成される。
【手続補正２０】
【補正対象書類名】明細書
【補正対象項目名】００２１
【補正方法】変更
【補正の内容】
【００２１】
実施例２０では、実施例１２〜１９の何れかに記載のカテーテルシステムにおいて、信号処理システムは活動電位持続時間回復曲線を生成することに基づいて心臓マップを生成するようにさらに構成される。
実施例２１では、解剖学的構造をマッピングするためのカテーテルシステムは、生理活動の活性化信号を感知するように構成された複数の電極を備え、複数の電極は解剖学的構造内、又は、解剖学的構造の周辺に配置され、活性化信号の各々は関連するサイクル長を有する。また、カテーテルシステムは複数の電極と関連した信号処理システムを備え、信号処理システムは活動電位持続時間と前サイクル長との関数を生成し、生成された関数に基づいてサイクル長の各々を活動電位持続時間及び拡張期間隔に分割し、且つ、分割された活動電位持続時間、及び、前拡張期間隔に基づいて活動電位持続時間回復曲線を生成するように構成される。
【手続補正２１】
【補正対象書類名】明細書
【補正対象項目名】００２２
【補正方法】変更
【補正の内容】
【００２２】
実施例２２では、実施例２１に記載のカテーテルシステムにおいて、関数を生成するため、信号処理システムは前サイクル長に基づいて活性化信号の各々のサイクル長のヒストグラムを生成し、生成されたヒストグラムに基づいてサイクル長の不応期を決定し、決定された不応期に基づいて活動電位持続時間を推定し、且つ、ヒストグラムを生成し、不応期を決定し、活動電位持続時間を推定するステップを複数の前サイクル長に対して反復するようにさらに構成される。
【手続補正２２】
【補正対象書類名】明細書
【補正対象項目名】００２３
【補正方法】変更
【補正の内容】
【００２３】
実施例２３では、実施例２２に記載のカテーテルシステムにおいて、ヒストグラムを生成するため、信号処理システムは記録されたサイクル長の範囲を決定し、決定された範囲を等間隔のビンに分割し、三つの連続した活性化信号による全ての三つ組を識別し、且つ、第一のサイクル長のビンを共有する三つ組に対する第二及び第三の活性化信号のためのサイクル長のヒストグラムを生成するようにさらに構成される。
【手続補正２３】
【補正対象書類名】明細書
【補正対象項目名】００２４
【補正方法】変更
【補正の内容】
【００２４】
実施例２４では、実施例２３に記載のカテーテルシステムにおいて、信号処理システムは不応期を全てのサイクル長のビンに対して決定するようにさらに構成される。
実施例２５では、実施例２３に記載のカテーテルシステムにおいて、不応期を決定するため、信号処理システムは生成されたヒストグラムのゼロから所定の閾値に少なくとも等しい数の第一のビンまでの間の領域を識別し、且つ、識別された領域に従って不応期を決定するようにさらに構成される。
【手続補正２４】
【補正対象書類名】明細書
【補正対象項目名】００２５
【補正方法】変更
【補正の内容】
【００２５】
実施例２６では、実施例２２〜２５の何れかに記載のカテーテルシステムにおいて、信号処理システムは推定された活動電位持続時間を不応期の期間とするようにさらに構成される。
実施例２７では、実施例２２〜２６の何れかに記載のカテーテルシステムにおいて、不応期を決定するため、信号処理システムは生成されたヒストグラムに滑らかな関数を適合し、生成されたヒストグラムのゼロから滑らかな関数が所定の閾値を下回る点までの間の領域を不応期として識別するようにさらに構成される。
【手続補正２５】
【補正対象書類名】明細書
【補正対象項目名】００２６
【補正方法】変更
【補正の内容】
【００２６】
実施例２８では、実施例２７に記載のカテーテルシステムにおいて、信号処理システムは生成されたヒストグラムに滑らかなシグモイド関数である滑らかな関数を適合するように構成される。
実施例２９では、実施例２１〜２８の何れかに記載のカテーテルシステムにおいて、複数の電極の少なくとも一つは所定のペーシングプロトコルを制定し、所定のペーシングプロトコルに応じて生理活動の活性化信号を感知するようにさらに構成される。
【手続補正２６】
【補正対象書類名】明細書
【補正対象項目名】００２７
【補正方法】変更
【補正の内容】
【００２７】
実施例３０では、実施例２１〜２９の何れかに記載のカテーテルシステムにおいて、信号処理システムは活動電位持続時間回復曲線を生成することに基づいて心臓マップを生成するようにさらに構成される。
複数の実施形態が開示されているが、当業者には、本発明の例示的な実施形態を示し、説明する以下の詳細な説明から、本発明のさらに他の実施形態が明らかとなるであろう。従って、図面及び詳細な説明は当然例示としてみなされるべきであり、限定的なものとみなされるべきではない。
【手続補正２７】
【補正対象書類名】明細書
【補正対象項目名】００２８
【補正方法】変更
【補正の内容】
【００２８】
【図１】診断及び治療目的のために体内の標的とする組織領域にアクセスするためのカテーテルシステムの一実施形態の概略図である。
【図２】図１のシステムに関連して用いるためのバスケット機能要素支持構造を有するマッピングカテーテルの一実施形態の概略図である。
【図３】複数のマッピング電極を含むバスケット機能要素の一実施形態の概略側面図である。
【図４】活動電位持続時間及び拡張期間隔を含むサイクル長を示す活動電位曲線の一例を示す図である。
【図５】活動電位持続時間回復曲線の一例を示す図である。
【図６Ａ】初期の活動電位回復曲線を示す図である。
【図６Ｂ】分割後の図６Ａの初期の活動電位回復曲線を示す図である。
【図６Ｃ】分割後の図６Ａの初期の活動電位回復曲線を示す図である。
【図７Ａ】ペーシング又は洞調律中のサイクル長のヒストグラムの一例を示す図である。
【図７Ｂ】心房細動中のサイクル長のヒストグラムの一例を示す図である。
【手続補正２８】
【補正対象書類名】明細書
【補正対象項目名】００３６
【補正方法】変更
【補正の内容】
【００３６】
図２は、図１に示すシステム１０において用いられるのに適した先端に電極２４を含むマッピングカテーテル１４の一実施形態を示す。マッピングカテーテル１４は可撓性のあるカテーテル本体１８と、マッピング電極又はセンサ２４を支持するように構成された三次元構造２０を支持する先端とを有している。マッピング電極２４は心筋組織内の内因性電気的活動、例えば活性化信号を感知し、感知された活動は生成及び表示されたＡＰＤ回復曲線を介して心拍障害又は他の心筋病変を有する部位を特定する際に医師を支援するため、処理システム３２によって処理される。このプロセスは一般に、マッピングと呼ばれる。特定された部位に焼灼のような適切な治療を適用するための適切な位置を決定するため、且つ、特定された部位に一つ以上のアブレーション電極３６を誘導するため、この情報を用いることができる。
【手続補正２９】
【補正対象書類名】明細書
【補正対象項目名】００３８
【補正方法】変更
【補正の内容】
【００３８】
スライド可能なシース５０はカテーテル本体１８の長軸に沿って移動可能である。シース５０を前方に（すなわち、先端に向かって）移動させることによって、シース５０に三次元構造２０が詰められ、従って構造２０は例えば心臓内のような内部空間への挿入に適した、コンパクト且つロープロファイルな状態に潰される。対照的に、シース５０を後方に（すなわち、基端に向かって）移動させることによって、三次元構造２０を解放し、構造２０が弾性的に拡張し、図２に示す予め緊張された状態をとることを許容する。三次元構造２０の実施形態のさらなる詳細は、本明細書においてその全体が参考として取り入れられた「複数電極支持機構（Ｍｕｌｔｉｐｌｅ  Ｅｌｅｃｔｒｏｄｅ  Ｓｕｐｐｏｒｔ  Ｓｔｒｕｃｔｕｒｅｓ）」と題される米国特許第５，６４７，８７０号に開示されている。
【手続補正３０】
【補正対象書類名】明細書
【補正対象項目名】００３９
【補正方法】変更
【補正の内容】
【００３９】
信号線（図示なし）は各マッピング電極２４に電気的に接続される。信号線はマッピングカテーテル１４の本体１８を通してハンドル５４内に延長され、多ピンコネクタであり得る外部コネクタ５６に接続される。コネクタ５６はマッピング電極２４を処理システム３２に電気的に接続する。マッピングシステム、及び、マッピングカテーテルによって生成された信号処理のための方法のさらなる詳細は、「可動電極要素を複数電極構造体内で誘導するためのシステム（Ｓｙｓｔｅｍｓ  ａｎｄ  Ｍｅｔｈｏｄｓ  ｆｏｒ  Ｇｕｉｄｉｎｇ  Ｍｏｖａｂｌｅ  Ｅｌｅｃｔｒｏｄｅ  Ｅｌｅｍｅｎｔｓ  ｗｉｔｈｉｎ  Ｍｕｌｔｉｐｌｅ−Ｅｌｅｃｔｒｏｄｅ  Ｓｔｒｕｃｔｕｒｅ）」と題される米国特許第６，０７０，０９４号、「心臓マッピング及びアブレーションシステム（Ｃａｒｄｉａｃ  Ｍａｐｐｉｎｇ  ａｎｄ  Ａｂｌａｔｉｏｎ  Ｓｙｓｔｅｍｓ）」と題される米国特許第６，２３３，４９１号、「体腔の登録マップの精緻化のためのシステム及びプロセス（Ｓｙｓｔｅｍｓ  ａｎｄ  Ｐｒｏｃｅｓｓｅｓ  ｆｏｒ  Ｒｅｆｉｎｉｎｇ  ａ  Ｒｅｇｉｓｔｅｒｅｄ  Ｍａｐ  ｏｆ  ａ  Ｂｏｄｙ  Ｃａｖｉｔｙ）」と題される米国特許第６，７３５，４６５号に記載されており、これらの開示は本明細書において参考として取り入れられている。
【手続補正３１】
【補正対象書類名】明細書
【補正対象項目名】００４１
【補正方法】変更
【補正の内容】
【００４１】
マッピング電極２４はマッピングカテーテル１４のような専用のマッピングプローブによって支持されていると記載されているが、マッピング電極は非マッピング専用プローブ又は多機能プローブ上に支持されてもよい。例えば、アブレーションカテーテル１６のようなアブレーションカテーテルはカテーテル本体の先端上に配置され、信号処理システム３２に接続された一つ以上のマッピング電極２４を含むように構成することができる。他の例として、アブレーションカテーテルの先端のアブレーション電極はマッピング電極としても動作するよう、信号処理システム３２に接続されてもよい。
【手続補正３２】
【補正対象書類名】明細書
【補正対象項目名】００４４
【補正方法】変更
【補正の内容】
【００４４】
図４はサイクル長（ＣＬ）、並びに、活動電位持続時間（ＡＰＤ）、すなわち活動から同じ拍の回復までの期間と、拡張期間隔（ＤＩ）、すなわち現在の拍の回復から次の拍の活動までの期間とで構成された二つの連続した拍の活動の間の期間を含む活動電位を示す。ＡＰＤを決定する要因の一つは、前ＣＬである。ＣＬが一定の場合、ＡＰＤも一定となる。しかしながら、ＣＬが短く、又は長くなった場合、現在のＡＰＤはそれぞれ短く、又は長くなる。ＡＰＤの変化と前ＤＩ（ｐＤＩ）の変化との関係は回復として知られている。回復は解剖学的構造、例えば心臓組織の回復特性を反映し、医師が診断をする際に重要となる。
【手続補正３３】
【補正対象書類名】明細書
【補正対象項目名】００４５
【補正方法】変更
【補正の内容】
【００４５】
図５に示すように、回復曲線はｐＤＩ（又はＣＬ）に対するＡＰＤの変化をプロットしたものであり、異常な信号伝導及び細動の少なくとも一方のような心臓の病態を理解する上で重要である。回復曲線はまた、活性化信号の伝播を可視化するため、活性化信号に活動電位波形を挿入するための手引きとして用いることができる。ＡＰＤ回復曲線は一般的に拡張期間隔の範囲にわたって測定され、指数関数曲線に類似又は対応するようにプロットされる。従来、各対応するＤＩのためのＡＰＤを測定するため、人工的に様々なＤＩを生成するための心臓ペーシングプロトコルを介してＤＩは一定に設定されていた。
【手続補正３４】
【補正対象書類名】明細書
【補正対象項目名】００４６
【補正方法】変更
【補正の内容】
【００４６】
いくつかの実施形態において、処理システム３２は、取得された活動電位のＡＰＤ及びｐＤＩの間の機能的関連性又は関連付けに基づいてＡＰＤ回復曲線を決定するように構成される。活性化信号が記録された後、処理システム３２は各活性化信号のサイクル長を決定し、各サイクル長に対するＡＰＤ及びＤＩを推定する。各サイクル長に対するＡＰＤ及びＤＩの初期推定値はランダムであるか、所定の回復テンプレート、又は、前に決定された回復曲線のような事前情報に基づくことができる。処理システム３２は、推定されたＡＰＤの各々と推定されたｐＤＩ、すなわち直前の活性化信号から推定されたＤＩとを一組にする二次元回復データセットを生成する。回復データセットは図５に示すような初期の回復曲線を生成するために二次元座標平面上にプロットされ、ここでｘ軸はミリ秒単位のｐＤＩであり、ｙ軸はミリ秒単位のＡＰＤであり、従って回復曲線上の各点は（ｐＤＩ，ＡＰＤ）の形式となる。初期の回復曲線は推定された、及び、任意に選択された少なくとも一方のＡＰＤ及びＤＩの初期の回復データセットに基づいているので、初期の回復曲線は図５に示す指数関数曲線に類似しない可能性がある。しかしながら、各ＣＬに対する初期のＡＰＤ及びＤＩの推定の際に事前知識を適用すれば、初期の回復曲線はＡＰＤ回復曲線に一般的に特有の指数関数曲線に類似させることができる。
【手続補正３５】
【補正対象書類名】明細書
【補正対象項目名】００４７
【補正方法】変更
【補正の内容】
【００４７】
処理システム３２は回復データセットの二つの期間、すなわちＡＰＤ及びｐＤＩの間の機能的関連性を決定する。機能的関連性は、相互情報量、最大情報係数、及び、推定された活動電位期間と前サイクル長から推定された拡張期間隔との間の間隔の相関の少なくとも一つを最大化することを含んでもよい。記録された活性化信号の各ＣＬに対する実際のＡＰＤ及びＤＩは未知であるため、処理システム３２は反復的機能的関連性を用いてＡＰＤ及びＤＩを推定することができる。例えば、処理システムは、機能的関連性、すなわち、相互情報量、最大情報係数、及び間隔の相関が最大化され、最適化された回復データセットから得られたＡＰＤ回復曲線が図５に示す指数プロットに類似する点まで、初期の回復データセットを最適化するために反復的な変更を行う。
【手続補正３６】
【補正対象書類名】明細書
【補正対象項目名】００４９
【補正方法】変更
【補正の内容】
【００４９】
機能的関連性に従って初期の回復データセットを最適化するため、処理システム３２は初期の回復曲線（図６Ａ）を図６Ｂに示すように複数のグリッド位置を有するグリッドに分割し、初期の機能的関連性が決定される。処理システム３２は一つのグリッド位置を選択し、選択されたグリッド位置から８つの隣接するグリッド位置の一つへと点を移動させる。回復曲線上の点は（ｐＤＩ，ＡＰＤ）として表されることから、回復曲線上の点を移動するため、処理システム３２は点が隣接するグリッド位置の一つに位置するように、その点に対応する推定されたＡＰＤ及びｐＤＩの少なくとも一方を調整する。点を隣接するグリッド位置に再配置した後、機能的関連性を決定する。機能的関連性の正の変化が前及び現在の機能的関連性の間で観察された場合、回復データセットにおいて変更内容を更新する。このように、各グリッド位置内の点はすべてのグリッド再配置に対してすべてのグリッド位置における機能的関連性が最大化されるまで、隣接するグリッド位置に再配置される。得られた回復データセットは、最適化されたＡＰＤ及びｐＤＩの値からなる最適化された回復データセットである。
【手続補正３７】
【補正対象書類名】明細書
【補正対象項目名】００５１
【補正方法】変更
【補正の内容】
【００５１】
いくつかの実施形態において、回復データセットは複数の電極の内の選択された電極のセットから生成される。回復データセットは前述のように機能的関連性に従って最適化される。結果として得られる最適化されたＡＰＤ回復曲線は所定の回復テンプレートとして設定され、電極の隣接するセットに対して最適化された回復データセットを生成するための前述の事前知識として用いられる。
【手続補正３８】
【補正対象書類名】明細書
【補正対象項目名】００５３
【補正方法】変更
【補正の内容】
【００５３】
いくつかの実施形態において、処理システム３２は活動電位持続時間と前サイクル長との関数に基づく回復曲線を決定するように構成される。例えば、関数は活動電位持続時間（ＡＰＤ）及び前サイクル長（ｐＣＬ）の間のヒストグラム相関であってもよい。ペーシング又は洞調律中のＣＬの一般的なヒストグラムは、図７Ａに示すように狭いことが予想される。しかしながら、心房細動、又は、ランダムなペーシングプロトコルの間のＣＬのヒストグラムは、図７Ｂに示すように広くなり得る。活性化信号を十分に記録すると、ヒストグラムの下方の尾部は不応期６０に起因してゼロに収束する。不応期とは、活動電位後の新たな活動電位を誘発することができない期間である。この不応期６０は各サイクル長のＡＰＤを推定するために用いることができ、そこから記録された活性化信号のＡＰＤ回復曲線を生成するために対応するＤＩ及びｐＤＩを推定することができる。
【手続補正３９】
【補正対象書類名】明細書
【補正対象項目名】００５４
【補正方法】変更
【補正の内容】
【００５４】
処理システム３２は複数の電極２４から活性化信号を感知し、各活性化信号に対するサイクル長（ＣＬ）を決定する。生理活動の活性化信号は、内因性生理活動に応じて、又は、複数の電極２４の少なくとも一つにより制定された所定のペーシングプロトコルに基づいて、感知することができる。決定されたＣＬのヒストグラムは前サイクル長に基づいて生成される。処理システム３２は全てのＣＬの範囲を決定し、その範囲を等間隔のビンに分割する。例えば、決定された範囲が１１０ミリ秒（ｍｓ）〜５００ｍｓの場合、処理システムは１１０〜１１５ｍｓ、１１５〜１２０ｍｓ、１２０〜１２５ｍｓ等というように５ｍｓ間隔のビンを生成してもよい。しかしながら、この間隔はより短く、又はより長くすることができる。前述のように、ＡＰＤは直前のＤＩ、又はｐＤＩに依存する。処理システムは三つの連続した活性化信号の全てのセットを識別し、同じ第一のサイクル長のビンを共有する全ての三つ組に対する第二の二つの活性化信号のためのサイクル長のヒストグラムを生成する。例えば、１１０ｍｓ〜１１５ｍｓのビン内にある第一のサイクル長を伴う全ての三つ組に対して、第二及び第三の活性化信号の間のサイクル長をヒストグラム化する。処理システム３２は、例えば滑らかなシグモイド関数のような滑らかな関数を用いて生成されたヒストグラムからノイズ及び異常値をフィルタリングするように構成される。
【手続補正４０】
【補正対象書類名】明細書
【補正対象項目名】００５６
【補正方法】変更
【補正の内容】
【００５６】
全ての前サイクル長（ｐＣＬ）のビン、すなわち１１５〜１２０ｍｓ、１２０〜１２５ｍｓ等に対して、複数のデータ点（ＡＰＤ，ｐＣＬ）を得るため、ヒストグラムを生成し、生成されたヒストグラムから不応期を決定し、決定された不応期からＡＰＤを推定するというプロセスが反復される。データ点はＡＰＤと前サイクル長との関数を生成するためにプロットすることができる。例えば、ＡＰＤ対ｐＣＬの曲線は各ｐＣＬのビンに対して決定されたＡＰＤに従って生成することができる。処理システム３２は決定されたＣＬの各々をこの関数に従ってＡＰＤ及びＤＩに分割する。得られたＡＰＤは分割されたＣＬに対する回復曲線を生成するため、対応する前拡張期間隔に対してプロットすることができる。
【国際調査報告】
2016508057.tif 000013
2016508057.tif 000014
2016508057.tif 000015